(57)【特許請求の範囲】
【請求項１】
内燃機関の気筒内に燃料を噴射する燃料噴射弁と、
高圧に蓄圧された燃料を保持し前記燃料噴射弁に供給するコモンレールと、
該コモンレールに高圧燃料を供給する高圧燃料供給ポンプと、
駆動信号の入力により閉弁して高圧燃料を前記高圧燃料供給ポンプから前記コモンレールに供給すると共に、前記高圧燃料の圧力を閉弁方向に受けて閉弁を維持し、前記高圧燃料供給ポンプからの供給を制御する圧力制御弁と、
前記コモンレールの燃料圧を検出する燃料圧検出手段とを備え、
前記燃料圧検出手段により検出した前記燃料圧と目標圧とに基づく通電時期及び予め設定された通電期間に応じた前記駆動信号により前記圧力制御弁を制御して前記コモンレールの燃料圧を制御する蓄圧式燃料噴射装置において、
前記燃料圧と前記目標圧とに基づいてフィードバック制御する前記通電時期の補正量のうちの積分項分の変化に基づいて前記圧力制御弁の応答性悪化量を算出し、該応答性悪化量に基づいて前記圧力制御弁への前記通電期間を長く変更する補正手段を備えたことを特徴とする蓄圧式燃料噴射装置。
【請求項２】
内燃機関の気筒内に燃料を噴射する燃料噴射弁と、
高圧に蓄圧された燃料を保持し前記燃料噴射弁に供給するコモンレールと、
該コモンレールに高圧燃料を供給する高圧燃料供給ポンプと、
駆動信号の入力により閉弁して高圧燃料を前記高圧燃料供給ポンプから前記コモンレールに供給すると共に、前記高圧燃料の圧力を閉弁方向に受けて閉弁を維持し、前記高圧燃料供給ポンプからの供給を制御する圧力制御弁と、
前記コモンレールの燃料圧を検出する燃料圧検出手段とを備え、
前記燃料圧検出手段により検出した前記燃料圧と目標圧とに基づく通電時期及び予め設定された通電期間に応じた前記駆動信号により前記圧力制御弁を制御して前記コモンレールの燃料圧を制御する蓄圧式燃料噴射装置において、
前記燃料圧と前記目標圧とに基づいてフィードバック制御する前記通電時期と前記燃料圧検出手段により検出される前記コモンレールの燃料圧の変化に基づいて算出する送油量に対応する通電時期とに基づいて前記圧力制御弁の応答性悪化量を算出し、該応答性悪化量に基づいて前記圧力制御弁への前記通電期間を長く変更する補正手段を備えたことを特徴とする蓄圧式燃料噴射装置。
【請求項３】
前記補正手段は、オープン制御時に前記応答性悪化量を算出することを特徴とする請求項２に記載の蓄圧式燃料噴射装置。
【請求項４】
前記補正手段は、前記応答性悪化量を加算して、前記通電期間を長く変更することを特徴とする請求項１ないし請求項３のいずれかに記載の蓄圧式燃料噴射装置。
【請求項５】
前記補正手段は、前記圧力制御弁の応答時間と前記通電期間との比が一定となるように、前記応答性悪化量に基づいて前記通電期間を長く変更することを特徴とする請求項１ないし請求項３のいずれかに記載の蓄圧式燃料噴射装置。
【請求項６】
内燃機関の気筒内に燃料を噴射する燃料噴射弁と、
高圧に蓄圧された燃料を保持し前記燃料噴射弁に供給するコモンレールと、
該コモンレールに高圧燃料を供給する高圧燃料供給ポンプと、
駆動信号の入力により閉弁して高圧燃料を前記高圧燃料供給ポンプから前記コモンレールに供給すると共に、前記高圧燃料の圧力を閉弁方向に受けて閉弁を維持し、前記高圧燃料供給ポンプからの供給を制御する圧力制御弁と、
前記コモンレールの燃料圧を検出する燃料圧検出手段とを備え、
前記燃料圧検出手段により検出した前記燃料圧と目標圧とに基づく通電時期及び予め設定された通電期間に応じた前記駆動信号により前記圧力制御弁を制御して前記コモンレールの燃料圧を制御する蓄圧式燃料噴射装置において、
前記通電時期に基づいて前記圧力制御弁の応答性悪化量を算出し、前記圧力制御弁の応答時間と前記通電期間との比が一定となるように、前記応答性悪化量に基づいて前記圧力制御弁への前記通電期間を長く変更する補正手段を備えたことを特徴とする蓄圧式燃料噴射装置。
【請求項７】
前記補正手段は、前記燃料圧と前記目標圧とに基づいてフィードバック制御する前記通電時期の変化に基づいて前記応答性悪化量を算出することを特徴とする請求項６に記載の蓄圧式燃料噴射装置。
【発明の詳細な説明】
【技術分野】
【０００１】
本発明は、高圧燃料が蓄圧されるコモンレールへの高圧燃料供給ポンプからの送油量を圧力制御弁により制御する蓄圧式燃料噴射装置に関する。
【背景技術】
【０００２】
従来より、特許文献１にあるように、コモンレールから燃料噴射弁に燃料を供給する蓄圧式燃料噴射装置では、高圧燃料供給ポンプからコモンレールに高圧燃料を供給すると共に、圧力制御弁により高圧燃料供給ポンプからの送油量を調整して、コモンレールの燃料圧を制御している。
【０００３】
その際、プランジャ式の高圧燃料供給ポンプの圧縮行程の途中で、圧力制御弁を閉弁させて、高圧燃料をコモンレールに供給してコモンレールの燃料圧を制御するプレストローク制御が行われている。また、センサによりコモンレールの燃料圧を検出し、検出した燃料圧と目標圧とに基づいて、燃料圧と目標圧との差が小さくなるように、圧力制御弁への通電時期をフィードバック制御している。
【先行技術文献】
【特許文献】
【０００４】
【特許文献１】特開平５−１６３９９４号公報
【発明の概要】
【発明が解決しようとする課題】
【０００５】
こうした従来のものでは、通電時期での圧力制御弁への駆動信号の出力により、圧力制御弁を閉弁するようにしている。圧力制御弁は閉弁すると高圧燃料の圧力を閉弁方向に受けて閉弁状態を維持するように構成されている。
【０００６】
例えば、図１１（ａ）に示すように、圧力制御弁に駆動信号を出力して高圧燃料を高圧燃料供給ポンプからコモンレールに供給する。このときの駆動信号は通電期間が圧力制御弁の応答性を考慮した予め定められた一定期間に設定され、不必要に通電期間を長くすることなく省エネを図っている。
【０００７】
そして、図１１（ｂ）に示すように、経年変化等により圧力制御弁の応答が遅くなると、フィードバック制御により駆動信号の通電時期を進角側に制御して、コモンレール圧力を目標圧に制御している。
【０００８】
しかし、圧力制御弁の応答性悪化がさらに進むと、以下のような問題点が発生することが発明者らの研究により明らかになった。すなわち、圧力制御弁の応答時間が、ソレノイドへの通電期間を越えてしまうほど長くなると閉弁に達することができない、という問題である。すなわち、図１１（ｃ）に示すように、応答性の悪化に応じて駆動信号の通電時期を進角しても、通電期間終了時になっても圧力制御弁の弁体のリフトが十分に行われず、フルリフト位置（閉弁位置）に達することができないことがある。その場合、圧力制御弁が閉弁し切れなくなり、高圧燃料供給ポンプから高圧燃料が供給されなくなる可能性がある。このため、高圧燃料供給ポンプからの高圧燃料供給が確実に維持できない、という問題があった。
【０００９】
本発明の課題は、圧力制御弁の応答性悪化時でも高圧燃料の供給を維持できる蓄圧式燃料噴射装置を提供することにある。
【課題を解決するための手段】
【００１０】
かかる課題を達成すべく、本発明は課題を解決するため次の手段を取った。即ち、
内燃機関の気筒内に燃料を噴射する燃料噴射弁と、
高圧に蓄圧された燃料を保持し前記燃料噴射弁に供給するコモンレールと、
該コモンレールに高圧燃料を供給する高圧燃料供給ポンプと、
駆動信号の入力により閉弁して高圧燃料を前記高圧燃料供給ポンプから前記コモンレールに供給すると共に、前記高圧燃料の圧力を閉弁方向に受けて閉弁を維持し、前記高圧燃料供給ポンプからの供給を制御する圧力制御弁と、
前記コモンレールの燃料圧を検出する燃料圧検出手段とを備え、
前記燃料圧検出手段により検出した前記燃料圧と目標圧とに基づく通電時期及び予め設定された通電期間に応じた前記駆動信号により前記圧力制御弁を制御して前記コモンレールの燃料圧を制御する蓄圧式燃料噴射装置において、
前記通電時期に基づいて前記圧力制御弁の応答性悪化量を算出し、該応答性悪化量に基づいて前記圧力制御弁への前記通電期間を長く変更する補正手段を備えたことを特徴とする蓄圧式燃料噴射装置がそれである。
【００１１】
前記補正手段は、前記燃料圧と前記目標圧とに基づいてフィードバック制御する前記通電時期の変化に基づいて前記応答性悪化量を算出し、その際、フィードバック制御での前記通電時期の補正量のうちの積分項分の変化に基づいて前記応答性悪化量を算出するようにしてもよい。
【００１２】
また、前記補正手段は、前記フィードバック制御での前記通電時期と前記燃料圧検出手段により検出される前記コモンレールの燃料圧の変化に基づいて算出する送油量に対応する通電時期とに基づいて前記応答性悪化量を算出するようにしてもよい。その際、前記補正手段は、オープン制御時に前記応答性悪化量を算出するようにしてもよい。
【００１３】
前記補正手段は、前記圧力制御弁の応答時間と前記通電期間との比が一定となるように、前記応答性悪化量に基づいて前記通電期間を長く変更するようにしてもよい。あるいは、前記補正手段は、前記応答性悪化量を加算して、前記通電期間を長く変更するようにしてもよい。
【発明の効果】
【００１４】
本発明の蓄圧式燃料噴射装置は、圧力制御弁の応答性悪化量を算出し、応答性悪化量に基づいて圧力制御弁の通電期間を長く変更するので、不必要に通電期間を長くすることなく省エネを図りながら、圧力制御弁の応答性悪化時でも高圧燃料の供給を維持できるという効果を奏する。
【００１５】
フィードバック制御する通電時期の変化に基づいて応答性悪化量を算出することにより、容易に応答性悪化量を定量的に算出できる。また、通電時期の補正量のうちの積分項分の変化に基づいて応答性悪化量を算出することにより、経時変化による応答性悪化を捉えることができる。
【００１６】
また、フィードバック制御での通電時期とコモンレールの燃料圧の変化に基づいて算出する送油量に対応する通電時期とに基づいて応答性悪化量を算出することにより、容易に応答性悪化量を定量的に算出できる。その際、オープン制御時に応答性悪化量を算出することにより、正確に算出できる。
【００１７】
更に、応答性悪化量を加算して、通電期間を長く変更することにより、容易に通電期間を変更できる。あるいは、応答時間と通電期間との比が一定となるように、通電期間を変更することにより、より省エネを図ることができる。
【図面の簡単な説明】
【００１８】
【図１】本発明の一実施形態としての蓄圧式燃料噴射装置を示す全体構成図である。
【図２】本実施形態の圧力制御弁と駆動信号との説明図である。
【図３】本実施形態のフィードバック制御の制御ロジックを示すブロック図である。
【図４】本実施形態の積分項と応答性悪化度合との関係を示すグラフである。
【図５】本実施形態の圧力制御弁の送油量と通電時期との関係を示すグラフである。
【図６】本実施形態の電子制御回路において行われる応答性悪化補正処理の一例を示すフローチャートである。
【図７】本実施形態の圧力制御弁の駆動信号と弁リフトとポンプカムとのタイミングチャートである。
【図８】別の実施形態の電子制御回路において行われる応答性悪化補正処理の一例を示すフローチャートである。
【図９】別の実施形態の圧力制御弁の送油量と通電時期との関係を示すグラフである。
【図１０】別の実施形態の圧力制御弁の駆動信号と弁リフトとポンプカムとのタイミングチャートである。
【図１１】従来の圧力制御弁の駆動信号と弁リフトとポンプカムとのタイミングチャートである。
【発明を実施するための形態】
【００１９】
以下本発明を実施するための形態を図面に基づいて詳細に説明する。図１は本発明の一実施形態としての蓄圧式燃料噴射装置を示す全体構成図である。
図１に示すように、本実施形態の蓄圧式燃料噴射装置は、例えば、４気筒のディーゼル機関としての内燃機関１に適用されており、高圧燃料を蓄えるコモンレール２と、燃料タンク３からフィードポンプ１０により汲み上げた燃料を加圧してコモンレール２に供給する高圧燃料供給ポンプ４と、高圧配管１７を介してコモンレール２より供給される高圧燃料を内燃機関１の気筒内の燃焼室２１に噴射する燃料噴射弁５と、燃料噴射弁５等を電子制御する電子制御ユニット６（以下ＥＣＵ６と呼ぶ）とを備えている。
【００２０】
コモンレール２は、ＥＣＵ６により運転状態等に基づいて目標圧が設定され、高圧燃料供給ポンプ４から供給された高圧燃料を目標圧に蓄圧する。このコモンレール２には、蓄圧された燃料圧を検出してＥＣＵ６に出力する燃料圧検出手段としての燃料圧センサ７が取り付けられている。
【００２１】
高圧燃料供給ポンプ４は、図２に示すように、内燃機関１に駆動されて回転するカム２４により、ローラ２６を介してピストン２８を往復動させ、フィードポンプ１０より送り出された燃料を加圧室３０に吸入し、加圧室３０から加圧された燃料を吐出弁３２を押し開いてコモンレール２に供給するように構成されている。
【００２２】
高圧燃料供給ポンプ４には、圧力制御弁３４が設けられており、圧力制御弁３４は図示しないソレノイドを励磁することにより弁体３６を摺動させて弁座３８に着座させて閉弁する。また、弁体３６は加圧室３０内の燃料圧を閉弁方向に受けて閉弁状態を維持し、加圧室３０の負圧による作用力や図示しないバネ等の付勢部材の付勢力等により弁体３６を弁座３８から離間させて開弁する。
【００２３】
圧力制御弁３４には、予め設定された通電期間Ｔssの駆動信号が入力されて、ソレノイドが励磁される。駆動信号は高圧燃料供給ポンプ４の圧縮行程時の所定の通電時期に入力され、ソレノイドの励磁による弁体３６の弁リフトにより弁座３８に着座して閉弁する。圧力制御弁３４が閉弁すると、加圧室３０からの高圧燃料がコモンレール２に供給され、通電時期を変更することにより、高圧燃料供給ポンプ４からコモンレール２に供給される送油量を可変でき、コモンレール２の燃料圧を制御できる。
【００２４】
高圧燃料供給ポンプ４の圧縮行程中に圧力制御弁３４への通電期間Ｔssが経過して、ソレノイドの励磁が停止しても、弁体３６は加圧室３０の燃料圧を受けて、弁座３８に着座する閉弁状態を維持し、高圧燃料供給ポンプ４が圧縮行程から吸入工程に変わると、弁体３６は弁座３８から離間して開弁する。これにより、フィードポンプ１０からの燃料を加圧室３０に吸入する。
【００２５】
このように、加圧室３０に燃料を吸入した後、ピストン２８が圧縮行程に移行しても直ちに圧力制御弁３４を閉弁せずに、加圧室３０内の燃料が所定量となるまで開弁を保持して余剰の燃料を排出し、供給時に送油量の調量を行なうプレストローク制御を行っている。また、閉弁後は燃料圧により閉弁状態が維持されるので、通電期間Ｔssは圧力制御弁３４の基本応答時間ＴFDを加味して、最小の期間に予め設定して、省エネを図っている。
【００２６】
前記各センサ等はＥＣＵ６に接続されており、ＥＣＵ６は、図１に示すように、周知のＣＰＵ６２、ＲＯＭ６４、ＲＡＭ６６等を中心に論理演算回路として構成され、外部と入出力を行う入出力回路、ここでは入出力回路６８をコモンバス７０を介して相互に接続されている。
【００２７】
ＣＰＵ６２は、燃料圧センサ７、パルサ１６に形成された複数の歯を検出する電磁ピックアップを用いた回転センサ１８及びアクセルペダル１９の踏込量に応じたアクセル開度を検出するアクセル開度センサ２０からの入力信号を入出力回路６８を介して入力する。
【００２８】
これらの信号及びＲＯＭ６４、ＲＡＭ６６内のデータや予め記憶された制御プログラムに基づいてＣＰＵ６２は、回転センサ１８により検出される回転数やアクセル開度センサ２０により検出されるアクセル開度等の運転状態に基づいて燃料噴射弁５からの噴射量や噴射時期を算出する。また、回転数や噴射量に基づいて、コモンレール２の目標圧を算出し、噴射量とコモンレール２の目標圧とに基づいて、高圧燃料供給ポンプ４からコモンレール２に供給する送油量を算出する。
【００２９】
送油量の算出の際には、図３の制御ロジックに示すように、フィードバック制御が行われ、燃料圧センサ７により検出されるコモンレール２の燃料圧と、目標圧との圧力偏差△Ｐを算出する。比例ゲインＫp に圧力偏差△Ｐを乗算してフィードバック制御の補正量に用いられる比例項を算出する。次に、積分ゲインＫi に燃料圧と目標圧との圧力偏差△Ｐの積分値を乗算して、積分項を算出する。続いて、指令送油量に比例項と積分項とを加算して圧力制御弁３４に出力し、圧力制御弁３４をフィードバック制御する。
【００３０】
下記（１）式のように、補正量に微分ゲインＫd に圧力偏差△Ｐの微分値を乗算した微分項を加味したＰＩＤ制御によるフィードバック制御を行ってもよい。
補正量＝Ｋp ×△Ｐ＋Ｋi ×∫△Ｐ＋Ｋd ×d/dt△Ｐ…（１）
経時変化等により、圧力制御弁３４の応答性が低下すると、補正量のうち、積分項が増加し、図４に示すように、特に、負荷が一定の運転状態である定常運転時の積分項の増加と圧力制御弁３４の応答性悪化度合とは比例する。
【００３１】
また、コモンレール２への送油量Ｑとそれによるコモンレール２内の圧力変化量△Ｐとの関係は下記（２）式により算出できる。ここで、ＶCRはコモンレール２の容積、Ｋはコモンレール２内の燃料の体積弾性係数である。
【００３２】
Ｑ＝△Ｐ×ＶCR／Ｋ…（２）
一方、図５に実線で示すように、予め送油量Ｑと圧力制御弁３４への通電時期ＴF との関係が記憶されており、この関係に基づいて、送油量Ｑから圧力制御弁３４への通電時期ＴF が算出される。
【００３３】
次に、ＥＣＵ６により実行される補正手段としての応答性悪化処理について図６に示すフローチャートに基づいて説明する。
まず、回転センサ１８により検出される回転数、アクセル開度センサ２０により検出されるアクセル開度、燃料圧センサ７により検出されるコモンレール２の燃料圧等に基づいて、現在の運転状態を認識する（ステップ１００。以下Ｓ１００という。以下同様。）。次に、認識した運転状態に基づいて、定常状態であるか否かを判断する（Ｓ１１０）。定常状態とは、車両が平坦な道路を定速で走行し、回転数がほぼ一定で、アクセル開度もほぼ一定の運転状態で、コモンレール２の燃料圧の変動が少なく、コモンレール２の目標圧や送油量がほぼ一定の状態をいう。定常状態であるときには、負荷の変動等がなく、コモンレール２の燃料圧の変化が少ない。
【００３４】
定常状態でないと判断したときには（Ｓ１１０：ＮＯ）、本制御処理を一旦終了し、定常状態であると判断すると（Ｓ１１０：ＹＥＳ）、フィードバック制御の補正量のうち、積分項分の認識に基づいて応答性悪化量△Ｔを算出する（Ｓ１２０）。
【００３５】
図５に示すように、圧力制御弁３４の応答性が悪化した際、同じ通電時期ＴF1のままでは、送油量△Ｑが減少する。同じ送油量を維持するために、フィーバック制御により圧力制御弁３４の新品当時等の正常時の通電時期ＴF1に対して、応答性悪化時の通電時期ＴF2に進角する。正常時の通電時期ＴF1に対して、応答性悪化時の通電時期ＴF2が進角した悪化角度量△ＴF は下記（３）式により算出できる。
【００３６】
△ＴF＝ＴF1−ＴF2…（３）
正常時の通電時期ＴF1は、正常時の定常運転時に記憶し、定常運転時に（３）式により悪化角度量△ＴF を算出することにより、悪化角度量△ＴF は積分項の補正量に相当し、悪化角度量△ＴF は圧力制御弁３４の応答性の悪化に対応する。また、悪化角度量△ＴF はフィードバック制御の積分項から直接算出するようにしてもよい。
【００３７】
次に、この悪化角度量△ＴF から、下記（４）式により、応答性悪化量△Ｔを算出する。ここで、Ｎp は高圧燃料供給ポンプ４のカム２４の回転数（ｒｐｍ）であり、角度が単位である悪化角度量△ＴF を時間に変換する。
【００３８】
△Ｔ＝△ＴF／（（Ｎp／６０）×３６０））…（４）
次に、この応答性悪化量△Ｔを通電期間Ｔssに加算して、補正通電期間Ｔssb を下記（５）式により算出する（Ｓ１３０）。
【００３９】
Ｔssb＝Ｔss＋△Ｔ…（５）
通電期間Ｔssを応答性悪化量△Ｔの分だけ長くした補正通電期間Ｔssb により圧力制御弁３４を制御することにより、図７に示すように、駆動信号の通電期間が長くなり、応答性が悪化した圧力制御弁３４でも、弁体３６が弁座３８に確実に着座して閉弁し、高圧燃料供給ポンプ４から高圧の燃料がコモンレール２に供給される。よって、不必要に通電期間を長くすることなく省エネを図りながら、圧力制御弁３４の応答性悪化時でも高圧燃料の供給を維持できる。
【００４０】
補正通電期間Ｔssb は、通電期間Ｔssに応答性悪化量△Ｔを加算する場合に限らず、圧力制御弁３４の基本応答時間ＴFDと通電期間Ｔssとの比が一定となるように、下記（６）式により補正通電期間Ｔssb を算出してもよい。
【００４１】
ＴFD／Ｔss＝（△Ｔ＋ＴFD）／Ｔssb＝一定…（６）
次に、前述した応答性悪化処理と異なる別の実施形態の補正手段としての応答性悪化処理について、図８のフローチャートによって説明する。
【００４２】
まず、オープン制御時か否かを判断する（Ｓ２００）。始動時や検査モード時には、圧力制御弁３４に、予め設定された指定送油量となるように、予め設定された通電時期ＴFaの駆動パルスが入力され、オープン制御される。オープン制御時には一定の送油量がコモンレール２に供給され、負荷の変動等がなく、コモンレール２の燃料圧の変化が少ない。
【００４３】
オープン制御時でないときには（Ｓ２００：ＮＯ）、一旦本制御処理を終了し、オープン制御時には（Ｓ２００：ＹＥＳ）、図９に示すように、指定送油量での通電時期ＴFaを認識する（Ｓ２１０）。次に、オープン制御時の実送油量を算出する（Ｓ２２０）。
【００４４】
実送油量Ｑは、図１０に示すように、オープン制御時の圧力制御弁３４に駆動信号を出力して閉弁した際のコモンレール２の圧力変化量△Ｐを燃料圧センサ７により検出し、その圧力変化量△Ｐから前述した（２）式により算出する。
【００４５】
そして、この算出した実送油量Ｑに対応する通電時期ＴFbを図９に実線で示す正常時の送油量と通電時期との関係から算出する（Ｓ２３０）。続いて、指定送油量での通電時期ＴFaから実送油量での通電時期ＴFbを減算して、下記（７）式のように、悪化角度量△ＴF を算出する。圧力制御弁３４の応答性が悪化すると、指定送油量に対して実送油量Ｑが減少するので、悪化角度量△ＴF は圧力制御弁３４の応答性の悪化に対応する。
【００４６】
△ＴF＝｜ＴFa−ＴFb｜…（７）
次に、悪化角度量△ＴF から、前述した（４）式により、悪化角度量△ＴF を時間に変換した応答性悪化量△Ｔを算出する（Ｓ２４０）。この応答性悪化量△Ｔを通電期間Ｔssに加算して、補正通電期間Ｔssb を前述した（５）式により算出する（Ｓ２５０）。あるいは、圧力制御弁３４の基本応答時間ＴFDと通電期間Ｔssとの比が一定となるように、（６）式により補正通電期間Ｔssb を算出してもよい。
【００４７】
前述した実施形態と同様、駆動信号の通電期間が長くなり、応答性が悪化した圧力制御弁３４でも、弁体３６が弁座３８に確実に着座して閉弁し、高圧燃料供給ポンプ４から高圧の燃料がコモンレール２に供給される。よって、不必要に通電期間を長くすることなく省エネを図りながら、圧力制御弁３４の応答性悪化時でも高圧燃料の供給を維持できる。
【００４８】
以上本発明はこの様な実施形態に何等限定されるものではなく、本発明の要旨を逸脱しない範囲において種々なる態様で実施し得る。
【符号の説明】
【００４９】
１…内燃機関    ２…コモンレール
３…燃料タンク    ４…高圧燃料供給ポンプ
５…燃料噴射弁    ６…電子制御ユニット
７…燃料圧センサ    １０…フィードポンプ
１７…高圧配管    １８…回転センサ
２０…アクセル開度センサ    ２１…燃焼室
２４…カム    ２６…ローラ
２８…ピストン    ３０…加圧室
３２…吐出弁    ３４…圧力制御弁
３６…弁体    ３８…弁座
【図１】
0005633422.tif 000002
【図２】
0005633422.tif 000003
【図３】
0005633422.tif 000004
【図４】
0005633422.tif 000005
【図５】
0005633422.tif 000006
【図６】
0005633422.tif 000007
【図７】
0005633422.tif 000008
【図８】
0005633422.tif 000009
【図９】
0005633422.tif 000010
【図１０】
0005633422.tif 000011
【図１１】
0005633422.tif 000012